(57)【特許請求の範囲】
【請求項１】
電気スイッチング要素のための、クレードル（７９）をもつクレードルリレーのためのコンタクトばね（１）であって、
前記コンタクトばね（１）は、少なくとも１つのコンタクト部位（１１）と、少なくとも１つのフック形状取付機構（２７）とを有し、
前記フック形状取付機構（２７）は、少なくとも部分的に前記コンタクト部位（１１）の方に曲げ戻される少なくとも１つの材料舌部（３３）を有し、
前記材料舌部（３３）は、２回以上曲げられ、端部区間（４３）の先端が前記材料舌部（３３）の表面と対向するように、前記材料舌部（３３）の端部区間（４３）においてそれ自体である前記材料舌部（３３）の上に曲げ戻されることを特徴とするコンタクトばね（１）。
【請求項２】
前記フック形状取付機構（２７）は、弾性変形可能なスナップ嵌めフック（５１）を形成することを特徴とする、
請求項１に記載のコンタクトばね（１）。
【請求項３】
前記フック形状取付機構（２７）は、前記コンタクトばね（１）と一体となるように構成されることを特徴とする、
請求項１または２に記載のコンタクトばね（１）。
【請求項４】
前記材料舌部（３３）の前記端部区間（４３）は、前記コンタクトばね（１）から離間されることを特徴とする、
請求項１から３のいずれか一項に記載のコンタクトばね（１）。
【請求項５】
前記フック形状取付機構（２７）の基部（５３）に少なくとも１つの肩部（５５、５７）があることを特徴とする、
請求項１から４のいずれか一項に記載のコンタクトばね（１）。
【請求項６】
前記少なくとも１つの肩部（５５、５７）は、前記コンタクトばね（１）の材料厚（Ｍ）の方向（６１）において、前記材料厚（Ｍ）よりも大きい少なくとも１つの支持表面（５９）を有することを特徴とする、
請求項５に記載のコンタクトばね（１）。
【請求項７】
前記少なくとも１つの支持表面（５９）は、前記フック形状取付機構（２７）から横方向に離間されることを特徴とする、
請求項６に記載のコンタクトばね（１）。
【請求項８】
前記少なくとも１つの支持表面（５９）は、曲がり材料舌部（６３）によって形成されることを特徴とする、
請求項６または７に記載のコンタクトばね（１）。
【請求項９】
前記コンタクトばね（１）は、少なくとも１つの細長いサブコンポーネント（１５）を有し、
前記少なくとも１つのフック形状取付機構（２７）は、前記細長いサブコンポーネント（１５）の長辺（１７、１９）に配置されることを特徴とする、
請求項１から８のいずれか一項に記載のコンタクトばね（１）。
【請求項１０】
前記コンタクトばね（１）は、前記少なくとも１つのフック形状取付機構（２７）の領域に少なくとも１つの剛化要素（１５５）を有することを特徴とする、
請求項１から９のいずれか一項に記載のコンタクトばね（１）。
【請求項１１】
クレードル（７９）と、請求項１から１０のいずれか一項に記載された少なくとも１つのコンタクトばね（１）とをもつクレードルリレーであって、
前記クレードル（７９）は、アーマチュア側端部（８３）と、少なくとも１つの取付手段（９５）をもつばね側端部（８５）を有し、
前記少なくとも１つのコンタクトばね（１）は、フック形状取付機構（２７）を有し、
前記コンタクトばね（１）の前記フック形状取付機構（２７）は、前記クレードル（７９）の前記アーマチュア側端部（８３）と前記ばね側端部（８５）との間の接続線（８７）に対して垂直に一直線に延びる前記取付手段（９５）のコンタクトばねシャフト（９７）に受け取られ、
前記フック形状取付機構（２７）と前記取付手段（９５）とは、形状嵌合を形成することを特徴とするクレードルリレー。
【請求項１２】
前記クレードル（７９）の前記少なくとも１つの取付手段（９５）は、少なくとも１つの停止面（１１１、１１５）を有し、
前記少なくとも１つの停止面（１１１、１１５）は、前記コンタクトばねシャフト（９７）の境界を定め、前記接続線（８７）から離れて垂直に延び、顎形状突起（１０３、１０５）によって形成されることを特徴とする、
請求項１１に記載のクレードルリレー。
【請求項１３】
前記クレードル（７９）の前記コンタクトばねシャフト（９７）は、挿入端部（１１８）における挿入開口（１１９）と、前記挿入端部（１１８）の反対側のキャッチ端部（１２２）における受容室（１２３）とを有し、
前記受容室まで、前記少なくとも１つの顎形状突起（１０１、１０３）は前記コンタクトばねシャフト（９７）の内部スペース（１２９）から場所を移されることを特徴とする、
請求項１２に記載のクレードルリレー。
【発明の詳細な説明】
【技術分野】
【０００１】
本発明は、電気スイッチング要素のための、特に、クレードルをもつクレードルリレーのためのコンタクトばねに関し、このコンタクトばねは、少なくとも１つのコンタクト部位と、少なくとも１つのフック形状取付機構（hook-shaped attaching mechanism）とを有する。
本発明は、さらに、電気スイッチング要素のための、特に、アーマチュア側端部とばね側端部とを有するクレードルリレーのためのクレードルに関し、このクレードルでは、少なくとも１つの取付手段が、コンタクトばねのばね側端部に設けられる。
また、本発明は、クレードルと、少なくとも１つのコンタクトばねとを有するクレードルリレーに関する。本発明のクレードルリレーでは、クレードルが、少なくとも１つの取付手段を備えたばね側端部を有し、かつ、少なくとも１つのコンタクトばねは、フック形状取付機構を有する。
【背景技術】
【０００２】
コンタクトばね、クレードル、およびクレードルリレーが、先行技術において知られている。クレードルは、通常、リレーアーマチュアと少なくとも１つのコンタクトばねとの間の少なくとも部分的に絶縁性の接続要素である。それゆえに、クレードルの課題は、アーマチュアの移動を少なくとも１つのコンタクトばねに伝えることである。この場合、装着状態において、少なくとも１つのコンタクトばねの取付機構が、クレードルの取付手段に接続される。知られているコンタクトばねは、一般に、クレードルに接続するためにフック形状取付機構を有する。これらは、しばしば、コンタクトばねから離れて延びる突起として形成される。装着中、クレードルは、その少なくとも１つの取付手段をスロット形状開口によって形成することができるが、少なくとも１つのフック形状取付機構上に置かれる。
一般に既にハウジングに配列されているコンタクトばねのフック形状取付機構をクレードルの取付手段に通すために、クレードルは、取付機構が開口中に入り込むことができるように旋回移動を実行しなければならない。しかしながら、このタイプの装着は、複雑であり、クレードルの旋回移動のために電気スイッチング要素のハウジングに十分なスペースがあることが必要とする。これが、電気スイッチング要素のコンパクト設計を妨げることがある。
【発明の概要】
【発明が解決しようとする課題】
【０００３】
それゆえに、本発明の課題は、クレードルの螺進（threading movement）のために必要とされる追加スペースなしに、上記の課題を解決し、構成要素を簡単に装着できるようにするコンタクトばね、クレードル、およびクレードルリレーを利用可能にすることである。
【課題を解決するための手段】
【０００４】
上記のタイプのコンタクトばねでは、本発明による課題は、少なくとも部分的にコンタクト部位の方に曲げ戻される（bent back）少なくとも１つの材料舌部（material tongue）をフック形状取付機構が有するので解決される。
【０００５】
ここで、曲げ戻し（bent back）とは、曲げ戻し区間において、例えば、材料舌部が、少なくとも部分的に残りのコンタクトばねのコンタクト部位の方に向いていることを意味する。材料舌部がコンタクト部位から離れて延びる場合、材料舌部は、再び後ろに向かうために９０°超だけ曲げられなければならない。この構成により、クレードルは、コンタクトばね上に直線移動で置くことができるようになり、フック形状取付機構、特に、曲げ戻し領域は、クレードルとの形状嵌合スナップオン接続（form-fitting snap-on connection）のためのスナップ嵌合フック（snap-fit hook）を形成するために、弾性的に撓み可能であるように意図される。この場合、曲げ戻し材料舌部（bent-back material tongue）は、クレードルの対応する取付手段のためのガイドおよび／または安全性デバイスまたは留め機構を表すことができる。
【０００６】
上記のタイプの電気スイッチング要素のクレードルについて、本発明による課題は、少なくとも１つの取付手段が、アーマチュア側端部とばね側端部との間の接続線に対して垂直に延びるコンタクトばねシャフトを有するので解決される。
【０００７】
特に、コンタクトばねシャフトは、クレードルをコンタクトばねの取付機構に接続する役目をすることができる。コンタクトばねシャフトはアーマチュア側とばね側端部との間の接続線に対して垂直に延びるので、クレードルは、コンタクトばねシャフトと平行な直線移動によってコンタクトばねに接続することができる。この場合、コンタクトばね取付機構は、コンタクトばねシャフトに挿入することができる。それゆえに、クレードルの螺進または旋回は必要とされない。したがって、クレードルは、既に装着されているばね上に簡単に置くことができる。
【０００８】
上記のクレードルリレーについて、本発明による課題は、コンタクトばねのフック形状取付機構が、クレードルのアーマチュア側端部とばね側端部との間の接続線に対して垂直に一直線に延びる取付手段のコンタクトばねシャフトに受け取られ、フック形状取付機構と取付手段とは、取り外せないように形状嵌合を形成するので解決される。
【０００９】
それゆえに、本発明によるクレードルリレーは、クレードルがコンタクトばねに直線移動によって接続され得るという利点を提供する。装着のために、クレードルと少なくとも１つのコンタクトばねとは、互いの方に一直線に移動することができ、その結果、少なくとも１つのコンタクトばねのフック形状取付機構が、コンタクトばねシャフトに挿入され、少なくとも部分的にコンタクトばねシャフトに受け取られるまで押し込まれる。コンタクトばねシャフトと、形状嵌合を形成するフック形状取付機構との間のスナップオン接続は、少なくとも１つのコンタクトばねへのクレードルの取り外せない接続を行うことができることが特に好ましい。
【００１０】
本発明による解決策は、所望に応じて互いに組み合わせることができる様々なそれぞれ別々の有利な構成を介してさらに改善することができる。これらの構成およびそれに関係づけられるその利点が、以下、考察される。
【００１１】
第１の有利な構成によれば、フック形状取付機構の断面は、コンタクトばねの残りの部分から離れる方に向かってテーパ化することができる。その結果として、取付機構をクレードルの対応する開口に特に良好に挿入することが可能になる。
【００１２】
材料舌部の曲げ戻し区間は材料舌部の自由端部まで延びることができる。
【００１３】
フック形状取付機構は上方および前方に突き出ることが好ましい。ここで、上方とは、コンタクトばねの残りの部分から離れる方向を意味する。上方とは、コンタクトばねの残りの部分に対する垂直を意味する。フック形状取付機構の上方に突き出る区間は、好ましくは、コンタクトばねの面内において取付機構の領域にあり、上方に突き出る区間はこの面から延びる。
【００１４】
フック形状取付機構は２つの材料舌部を有することができ、２つの材料舌部は、コンタクト部位上に少なくとも部分的に曲げ戻され、それによって、反対方向に突き出る。このようにして、２重になったスナップ嵌めフックを得ることができる。代替として、材料舌部は、コンタクトばねの両側で突き出るように曲げられてもよい。
【００１５】
本発明によるコンタクトばねのクレードルへの特に簡単な装着は、フック形状取付機構が弾性変形可能なスナップ嵌めフックを構成するので達成することができる。この場合、特に、材料舌部は、少なくとも部分的に弾性的に撓み可能とすることができる。材料舌部は、コンタクト部位の方に撓むことができ、または弾性的に圧縮可能とすることができる。フック形状取付機構を圧縮することによって、フック形状取付機構は、対応して構成されたクレードルの開口に導入され得る。代替として、フック形状取付機構は剛性的に構成されることが可能である。この構成は、例えば、クレードルの取付手段がフック形状取付機構に接続するように弾性的に構成される場合、有用である。
【００１６】
フック形状取付機構は、コンタクトばねと一体となるように構成することができる。一体構成はいくつかの利点を伴うことができる。一方では、特に簡単で安価な製造が可能である。フック形状取付機構は、特に、コンタクトばねの材料からの型押曲げ加工（stamp-bending）によって構成することができる。このタイプの製造は、フック形状取付機構を別個に生成し、次いで、それをコンタクトばねに接続することよりも複雑でない。さらなる利点は、一般に、薄肉金属薄板プレートであるコンタクトばね材料は、弾性的に撓むことができる材料舌部にとって十分な弾性を有することである。その結果として、弾性変形可能なスナップ嵌めフックを特に簡単に形成することができる。
【００１７】
さらなる有利な構成によれば、材料舌部は、２回以上曲げられてもよく、端部区間においてそれ自体の上に曲げ戻されてもよい。これは、鋭い縁部がフック形状取付機構から突き出ないという利点を有することができる。その結果として、一方では、フック形状取付機構をクレードルの開口に挿入することを容易にすることができる。特に、クレードルへの挿入の際のフック形状取付機構の固着またはクレードルの損傷の危険性を低減することが可能である。他方では、この構成は、本発明によるコンタクトばねをもつリレーの動作の間利点を提供することができる。端部区間においてそれ自体の上に曲げ戻される材料舌部は、クレードルの一部を動作中に案内することができる案内面を提供することができる。特に、端部区間は、少なくとも部分的に、少なくともフック形状取付機構の領域でコンタクトばねの残りの部分に対して垂直に延びることができる。
次いで、材料舌部の端部区間は、クレードルの移動の方向と実質的に平行に延びることができる。次いで、リレーの動作の間、クレードルは、少なくとも取付手段の一部によって端部区間に当接し、端部区間がクレードルの移動の方向と平行に配列されるので端部区間に沿って滑ることができる。その結果として、さらに、リレーの動作の間、フック形状取付機構へのクレードルの引っ掛かりまたは取付機構および／またはクレードルの破損を避けることができる。
【００１８】
２回以上曲げられ端部区間においてそれ自体の上に曲げ戻される材料舌部が、十分なストロークを有することが可能となるように、材料舌部の端部区間は、コンタクトばねから離間させることができる。特に、端部区間は、材料舌部自体から離間させることができる。端部区間は、コンタクトばねの残りの部分から一直線に延びる材料舌部区間から離間されることが好ましい。材料舌部の端部区間と、コンタクトばねとの間の間隔は、コンタクトばねの残りの部分の方向の材料舌部の最大ストロークを決定することができる。
【００１９】
「曲げられた」という表現は、ある半径のまわりに曲げが生じる材料舌部の形状の変化と、さらに座屈または折りとを包含するように意図される。
【００２０】
フック形状取付機構の基部に、少なくとも１つの肩部があり得る。肩部は、特に、コンタクトばねの一方の辺のそばに形成することができ、その一方の辺からフック形状取付機構が突き出る。肩部は、停止要素として役立つことができ、その結果として、最大奥行きを、すなわち、フック形状取付機構をどのくらいクレードルに導入できるかを規定することができる。
【００２１】
クレードルによって損傷されることおよび／またはクレードルを損傷することなく、スイッチング要素の装着状態でクレードルに接続されるように、少なくとも１つの肩部は、コンタクトばねの材料厚の方向において材料厚よりも大きい少なくとも１つの支持表面を有することができる。コンタクトばねは、一般に、連続材料厚を有する。そうでない場合、支持表面は、肩部の領域において材料厚の方向に材料厚よりも大きくすることができる。
【００２２】
少なくとも１つの支持表面は、フック形状取付機構から横方向に離間することができる。このようにして、クレードルへの接続のための特に広い接続領域が、フック形状取付機構と少なくとも１つの支持表面とによって作り出され得る。
【００２３】
肩部の凹部は、少なくとも１つの支持表面とフック形状取付機構との間に配列することができる。凹部は、少なくとも１つの支持表面を押さないクレードルの要素のためのスペースを形成することができる。
【００２４】
できるだけ簡単に製造することができる特に大きい支持表面を設けるために、少なくとも１つの支持表面は、材料舌部がコンタクトばねの残りの部分から離れたところに曲げられることによって形成され得る。曲がり材料舌部は、コンタクトばねの残りの部分から実質的に直角に曲げられ得る。材料舌部は、ある程度コンタクトばねの残りの部分の上に曲げ戻されるように９０°超だけ曲げられることが好ましい。その結果として、コンタクトばねから離れて面する丸い支承領域を形成することができ、それは、特に有利には、もたれかかるクレードルによる傾斜を妨げることができる。曲がり材料舌部は、フック形状取付機構の材料舌部と同じ方向に突き出ることが好ましい。この場合の曲がり材料舌部は、上方に短い区間で、および前方に長い区間で突き出ることが好ましい。前方に突き出る短い区間は、この場合、支持表面のコンタクトばねの残りの部分からの距離を決定することができる。前方に突き出る区間は、できるだけ大きい支持表面を形成するために長いことが好ましい。
【００２５】
コンタクトばねは、少なくとも１つの細長いサブコンポーネントを有することができ、少なくとも１つのフック形状取付機構は、長手方向サブコンポーネントの長辺に配列することができる。長辺への配列は、特にコンパクトなスイッチング要素を製造するために有利となることができる。コンタクトばねの長辺への配列のさらなる利点は、取付機構の領域におけるコンタクトばねへのクレードルによる力効果（force effect）が、最初に、細長いサブコンポーネントの長手軸のまわりのコンタクトばねのねじれをもたらすことである。このねじれは、対向コンタクト部からコンタクトばねのコンタクト部位を分離しやすくするために望ましいことがある。
【００２６】
少なくとも１つのフック形状取付機構の長辺への配列の代替として、配列は、コンタクトばねの細長いサブコンポーネントの短辺に行われてもよい。次いで、フック形状取付機構は、細長いサブコンポーネントの長手方向と平行にコンタクトばねから上方に突き出ることができる。
【００２７】
コンタクトばねを移動させるためにクレードルが係合できる少なくとも１つのフック形状取付機構の領域において、コンタクトばねは、少なくとも１つの剛化要素（stiffening element）を有することができる。その結果として、所望であれば、特に剛化したコンタクトばねを形成することができる。剛化要素は、コンタクトばねの長手方向と平行に延びることができることが好ましい。そのようなコンタクト部へのフック形状取付機構が長辺に配列される場合、コンタクトばねは、剛化要素によって長手方向に剛化されるが、しかしながら、それにもかかわらず、長手方向のまわりの回転は依然として可能であり得る。
【００２８】
少なくとも１つの剛化要素は、シームとして形成されることが好ましい。シームは、例えば型押（stamping）によって特に簡単に製造することができる。
【００２９】
特にコンパクトな電気スイッチング要素にコンタクトばねを設けるために、コンタクトばねは、２つの脚が生じるように直角に曲げることができる。これらの脚の一方は、少なくとも１つのコンタクト部位と、少なくとも１つのフック形状取付機構とを有し、取付脚は、電気スイッチング要素のハウジング内にコンタクトばねを取り付けるための取付デバイスを備えることができる。
【００３０】
本発明によるクレードルは、少なくとも１つの取付手段が少なくとも１つの停止面を有することによってさらに改善され得る。少なくとも１つの停止面は、コンタクトばねシャフトの境界を定め、接続線から離れて垂直に延び、顎形状突起（jaw-shaped projection）によって形成される。停止面は、コンタクトばねへのリレーのアーマチュアの移動を伝える役目をすることができる。
【００３１】
コンタクトばねシャフトは、挿入端部における挿入開口と、挿入端部と反対側のキャッチ端部における受容室とを有し、その受容室まで、少なくとも１つの顎形状突起は、コンタクトばねシャフトの内部スペースから場所を移される（relocate）。挿入端部は、好ましくはクレードルのアーマチュア側端部とばね側端部との間の接続線に対して垂直な方向に、コンタクトばねシャフトを解放する。受容室は、特に、コンタクトばねのフック形状取付機構を受け取る役目をし、その結果、クレードルは、コンタクトばねに取外し不能に接続される。コンタクトばねシャフトの断面は、この場合、コンタクトばねのフック形状取付機構よりも狭いことが好ましい。フック形状取付機構がコンタクトばねシャフトを通して挿入されるとき、取付機構は、弾性的に圧縮され得、そして、少なくとも弾性的に圧縮された区間が受容室に配列されると、再び緩むことができる。このようにして、スナップ嵌め接続が、コンタクトばねとクレードルとの間に形成され得る。
【００３２】
これの代替としてまたはこれに加えて、コンタクトばねシャフトの内壁を弾性的に撓み可能とすることができる。コンタクトばねのフック形状取付機構が挿入されるとき、取付機構の弾性圧縮の代替としてまたは取付機構の弾性圧縮に加えて、コンタクトばねシャフトは、取付機構が受容室に配列されるまで弾性的に広がることができる。このようにして、スナップ嵌め接続が、やはり、コンタクトばねとクレードルとの間に生成され得る。
【００３３】
コンタクトばねとの接触によるクレードルの損傷、および／またはコンタクトばねへの損傷を避けるために、クレードルは、コンタクトばねシャフトのそばに、およびコンタクトばねシャフトの外側に、少なくとも１つの支持顎を有することができる。この場合の少なくとも１つの支持顎は、コンタクトばねシャフトの長手方向に対して垂直に延びることが好ましい。少なくとも１つの支持顎は、特に、コンタクトばねの支持表面を押す目的に役立つ。
【００３４】
本発明によるクレードルリレーは、本発明による少なくとも１つのコンタクトばねと、本発明による少なくとも１つのクレードルとを有するカムリレー（cam relay）によってさらに改善され得る。
【００３５】
導入されたコンタクトばねの長辺におけるフック形状取付機構の位置は、クレードルの作用点を規定することができる。例えば、クレードルの規定された範囲の移動の場合には、特にコンタクト部位の領域でのコンタクトばねの撓みは、フック形状取付機構の位置によって、てこの原理に従って設定することができる。
【００３６】
少なくとも１つのコンタクトばねがクレードルによって移動されるとき、少なくとも１つのコンタクトばねへのクレードルの力伝達（force transmission）は、クレードルの少なくとも１つの停止面を介して行われることが好ましい。停止面は、クレードルが装着状態にあるとき、少なくとも１つのコンタクトばねによってコンタクトばねに当接することができ、それにより、力をコンタクトばねに一様に伝え、それによるコンタクトばねの損傷はない。停止面は、好ましくは、コンタクトばねシャフトそれ自体の境界を定めるので、停止面は、コンタクトばねの取付機構の領域において、これに力伝達するように作用する。
【００３７】
装着状態において、フック形状取付機構はクレードルの上面を超えて突き出ないことが好ましい。これは、リレー内のクレードルの移動を妨げないために有利となり得る。
【００３８】
クレードルは、その少なくとも１つの支持顎によって、少なくとも１つのコンタクトばねの少なくとも１つの支持表面を押すことが好ましい。この場合、クレードルの支持顎とコンタクトばねの支持表面とは、好ましくは断面図で互いに平行である区間を有し、その結果、クレードルおよび／またはコンタクトばねへの損傷が支持顎と支持表面との間のコンタクト部位で引き起こされることなく、コンタクトばねを基準にしたクレードルの移動が可能である。
【００３９】
フック形状取付機構の奥行きは、コンタクトばねシャフトの奥行きよりも大きいことが好ましい。その結果として、フック形状取付機構は、挿入シャフトに弾性的に圧縮され得る。フック形状取付機構が受容室に配列されるとすぐに、フック形状取付機構は、受容室がコンタクトばねシャフトの残りの部分よりも深いので、再び緩み、その元の奥行きを占めることができる。この場合の指定の要素の奥行きは、クレードルのアーマチュア側とばね側端部との間に接続線と平行に延びる。
【００４０】
受容室の領域において、クレードルは、コンタクトばねシャフトの境界を横方向に定める横方向限定リッジ（lateral delimiting ridge）を有することが好ましい。横方向限定リッジは、下方に、すなわち、少なくとも１つの顎形状突起の方向に、受容室よりも深く延びることが好ましい。横方向限定リッジは、リレーが装着状態にあるとき、コンタクトばねのフック形状取付機構の肩部の凹部に配列され得る。このようにして、クレードルとコンタクトばねとは、この領域で接触しないようにすることができる。代替として、コンタクトばねシャフトは、さらに、単一の横方向限定リッジを有し、次いで、単一の横方向限定リッジは、コンタクトばねの肩部の１つの凹部に配列され得る。
【００４１】
以下、本発明が、図面を参照しながら有利な実施形態を使用して例としてさらに詳細に説明される。実施形態によって例として示される特徴の組合せは、上述のコメントに従って特定の用途のために適宜追加の特徴で補うことができる。さらに、上述のコメントに従って、個々の特徴を、この特徴の効果が実際の用途において重要でない場合、説明される実施形態において省略しうる。
【００４２】
図面において、同じ参照記号は、同じ機能および／または同じ構造をもつ要素に対して常に使用されることになる。
【図面の簡単な説明】
【００４３】
【図１Ａ】本発明によるコンタクトばねの第１の有利な実施形態の斜視図である。
【図１Ｂ】図１Ａに示したコンタクトばねのフック形状取付機構の拡大描写の図である。
【図２】本発明によるクレードルの第１の有利な実施形態の斜視図である。
【図３】図２に示したクレードルのコンタクトばねシャフトを通る断面を示す図である。
【図４】第１の実施形態のコンタクトばねが導入された状態の図２および図３に示したクレードルのコンタクトばねシャフトを通る断面を示す図である。
【図５】支持顎の領域において第１の実施形態のクレードルを通る側面図である。
【図６】第２の実施形態のコンタクトばねが導入された状態の本発明によるクレードルの第２の実施形態による断面を示す図である。
【発明を実施するための形態】
【００４４】
以下の図のすべてが、図１を参照しながら説明する本発明によるコンタクトばねの方向を使用して定義される座標系を示す。
【００４５】
図１Ａは、本発明によるコンタクトばね１の第１の実施形態を示す。コンタクトばね１は、直角に曲げることができ、その結果、コンタクトばね１は、取付脚３とスイッチング脚５とを有する。取付脚３は、電気スイッチング要素のハウジングにコンタクトばね１を取り付けるための取付装置７を有することが好ましい。１組の孔９が、図示の実施形態には単なる例として取付装置７として示されている。
【００４６】
スイッチング脚５は、長手方向Ｌに沿って延びる全体的に細長い形状を有する。長手方向Ｌは、図示されたＹ軸と平行に延びる。コンタクト部位１１はスイッチング脚５に配列される。コンタクト部位１１は、複数のコンタクト部で形成されることが好ましい。コンタクト部位１１は、取付脚３から離れて面するコンタクトばね１の端部１３に配列されることが好ましい。本発明によるコンタクトばね１は、２つを超えるコンタクト部位１１を有する方がよいこともあり、またはさらにたった１つの単一コンタクト部位１１を有することもある。本発明によるコンタクトばね１は、また、直角に曲げられた形状に限定されない。コンタクトばね１は、コンタクトばね１に好適な任意の形状を有することができる。特に、コンタクトばね１は、さらに、全体的に細長い形状を有するか、またはむしろ単に連続的な細長い本体からなることができる。
【００４７】
スイッチング脚５は細長いサブコンポーネント１５を形成する。細長いサブコンポーネント１５は長手方向Ｌに沿って延びる。細長いサブコンポーネント１５は、２つの長辺１７、１９と、２つの短辺２１、２３とを有する。短辺２１は、取付脚３とスイッチング脚５との間の湾曲部２５によって形成される。反対側の短脚２３はコンタクト部位１１を有する。コンタクト部位１１は、短辺２３と同一平面状にあることが好ましい。
【００４８】
図１Ｂを参照しながら詳細に説明するフック形状取付機構２７は、長辺１７に配列される。
【００４９】
図１Ｂは、フック形状取付機構２７およびその隣接する周囲の拡大描写を示す。フック形状取付機構２７は、コンタクトばね１から上方および前方に突き出る。取付機構２７は、長辺１７から突き出ることが好ましい。図において、上方はＺ方向であり、前方はＸ方向である。上方に突き出る部分は、シャフト２９によって実質的に形成される。シャフト２９は一直線に実質的に上方に延びる。シャフト２９の下端部３１で、シャフト２９は長手方向Ｌに広げられる。
【００５０】
シャフト２９は、材料舌部３３の開始区間を形成する。材料舌部３３は、コンタクトばね１と一体となるように形成されることが好ましい。材料舌部３３は、フック形状取付機構２７中に形成される。材料舌部３３は、コンタクト部位１１上に曲げ戻された区間３５を有する。曲げ戻し区間３５は、フック形状取付機構２７の前方突き出し部分を形成する。
【００５１】
曲げ戻し区間３５は、シャフト２９と曲げ戻し区間３５との間の角度αが３０°から５０°となるように曲げられることが好ましい。角度αは、４０°±５°であることが特に好ましい。したがって、曲げ戻し区間３５は、フック形状取付機構２７の領域のコンタクトばね１の平面Ｅから９０°超だけ曲げられる。したがって、４０°±５°の角度αにおいて、曲げ戻し区間３５は、Ｚ方向と平行に延びる平面Ｅから１４０°±５°曲げられる。シャフト２９と曲げ戻し区間３５との間の移行領域は、第１の湾曲部３７を形成する。
【００５２】
材料舌部３３は、第２の湾曲部３９を有することが好ましい。第２の湾曲部３９は、曲げ戻し区間３５の下端部４１に見いだされる。第２の湾曲部３９により、材料舌部３３それ自体に曲げ戻される端部区間４３が形成される。端部区間４３は、少なくとも部分的に上方に向くことが好ましい。それゆえに、端部区間４３は、シャフト２９と曲げ戻し区間３５との間の中間スペース４５に突き出ることが好ましい。このようにして、取付機構２７がクレードルに導入されるとき傾斜または損傷を引き起こすことがある鋭い縁部がないフック形状取付機構２７を得ることが可能である。
【００５３】
端部区間４３は、コンタクトばね１から離間されることが好ましい。その結果として、端部区間４３はシャフト２９から離間される。端部区間４３とコンタクトばね１との間の距離４７は、コンタクトばね１の材料厚Ｍよりも大きいことが好ましい。曲げ戻し区間３５は、端部区間４３と一緒に、コンタクトばね１の方に、またはむしろシャフト２９の方に距離４７まで撓ませることができる。コンタクトばね１の材料４９は一般に弾性であるので、曲げ戻し区間３５は、端部区間４３と一緒に、シャフト２９の方に弾性的に撓ませることができる。スナップ嵌めフック５１が、その結果として形成される。それゆえに、フック形状取付機構２７は、弾性変形可能なスナップ嵌めフック５１を形成する。
【００５４】
肩部５５および肩部５７は、フック形状取付機構２７の基部５３に配置される。コンタクト側肩部５５は支持表面５９を有する。支持表面５９は、材料厚Ｍの方向６１において材料厚Ｍよりも大きい。
【００５５】
支持表面５９は、曲がり材料舌部６３によって形成される。材料厚Ｍの方向６１の材料舌部６３の全幅６５は、材料厚Ｍよりも大きい。材料舌部６３は、コンタクトばね１から上方に離れて延びる直線シャフト区間６７と、曲がり区間６９とを有する。曲がり区間６９は、曲がり区間６９とシャフト区間６７との間の角度βが、好ましくは、９０°未満、特に好ましくは、７０°±５°となるように、コンタクトばね１の平面Ｅから９０°超だけ曲げられることが好ましい。それゆえに、こうして曲がり区間６９の端部区間７１が支持表面５９の最も高い位置７３よりもさらに上方に突き出ないので、この顕著な曲がりは有利である。上に置かれるクレードルへの損傷またはクレードルによる傾斜を、結果として避けることができる。
【００５６】
支持表面５９、または材料舌部６３は、フック形状取付機構２７から横方向に離間される。例示的な実施形態において、横方向にとは、長手方向Ｌに、すなわち、コンタクトばね１の平面Ｅ内を意味する。支持表面５９とフック形状取付機構２７との間に凹部７５がある。第２の凹部７７が第２の肩部５７に配列され、第２の肩部５７のところに、説明した例示的な実施形態では支持表面がない。凹部７５および凹部７７は、スイッチング脚５中に下方に突き出る。凹部７５および凹部７７は、クレードルとコンタクトばね１との間のこの点での接触が生じることなしにクレードルの一部を受け取る役目をすることができる。
【００５７】
支持表面５９の代替としてまたは支持表面５９に加えて、第２の肩部５７が支持表面を有することができる。
【００５８】
図２は、本発明によるクレードル７９の斜視描写を示し、図３は、図２に示したクレードル７９を通るＸ軸に平行な縦断面を示す。
【００５９】
クレードル７９は、全体的に細長い形状を有するクレードル本体８１を有する。クレードル７９は、アーマチュア側端部８３とばね側端部８５とを有する。本体８１は、アーマチュア側端部８３とばね側端部８５との間の接続線８７に沿って実質的に細長く延びる。図では、接続線８７は、座標系のＸ方向と平行に描かれている。
【００６０】
クレードル７９は、実質的に連続し真っすぐな上面１０５を有することが好ましい。上面１０５は、上方に突き出る要素なしに構成されることが好ましい。その結果として、例えば、クレードル７９は接続線８７の方向に表面に沿って滑ることを可能にすることができる。例えば、クレードル７９は、電気スイッチング要素のハウジング壁に沿って滑り、ハウジング壁によって案内され得る。
【００６１】
クレードル７９は、アーマチュア側端部８３にアーマチュア接続要素８９を有する。アーマチュア接続要素８９は、クレードル７９が接続線８７に対して垂直に装着されるとき、アーマチュアに接続され得るように構成することができる。アーマチュア接続要素８９は、アーマチュアへの接続のためのフック状突起９１を有する。アーマチュアは、接続線８７に沿ってクレードル７９をアーマチュア側端部８３で引っ張るためにフック状突起９１に係合することができる。このために、アーマチュア接続要素８９は、アーマチュア用の停止面９３を有することができる。
【００６２】
クレードルは、コンタクトばね用の取付手段９５をばね側端部８５に有する。代替として、クレードル７９は、いくつかのコンタクトばねを同時に作動させるためにいくつかの取付手段９５を有することもできる。いくつかの取付手段９５は、例えば、接続線８７に対して互いに横におよび／または接続線８７に沿って互いに前後に配列されてもよい。
【００６３】
クレードル７９は、アーマチュア接続要素８９および少なくとも１つの取付手段９５と一体となるように形成されることが好ましい。クレードル７９は、プラスチックなどの絶縁材料から射出成形プロセスで生成されることが特に好ましい。
【００６４】
取付手段９５は、コンタクトばねシャフト９７を有する。コンタクトばねシャフト９７は、接続線８７に対して垂直に延び、挿入方向９９を規定する。図においては、挿入方向９９はＺ方向と平行に配列される。コンタクトばねシャフト９７は、挿入端部１１８と、挿入端部と反対側のキャッチ端部１２２とを有する。挿入端部１１８は、上面１０５から離れたところを指すコンタクトばねシャフト９７の端部に配列されることが好ましく、一方、キャッチ端部１２２は、上面１０５と同じ高さであることが好ましい。
【００６５】
コンタクトばねシャフト９７は、２つの顎形状突起１０１および顎形状突起１０３によって接続線８７の方向の境界を定められる。顎形状突起１０１および顎形状突起１０３は下方に突き出る。
【００６６】
顎形状突起１０１および顎形状突起１０３は、接続線８７に沿って互いに前後に位置を定められる。この場合、アーマチュア側端部８３から遠く離れたところに位置を定められた顎形状突起１０３は、コンタクトばね用のクレードル７９の引張り要素１０７を形成する。引張り要素１０７とアーマチュア側端部８３との間に配列された顎形状突起１０１は、コンタクトばね用の当接要素１０９を形成する。説明したクレードル７９が電気スイッチング要素に使用され、磁力が生じたときにアーマチュアがアーマチュア側端部８３の方向にクレードルを引っ張る場合、引張り要素１０７は、コンタクトばねを同じ方向に引っ張ることができる。アーマチュアへの磁気駆動力が減少すると、コンタクトばねは、前方に、またはばね側端部８５が向いている方向に、引張り要素へのまたは顎形状突起１０３へのばね復元力によって接続線８７に沿ってクレードル７９を移動させることができる。
対照的に、クレードル７９が電気スイッチング要素に使用され、クレードル７９がアーマチュアへの電磁力の作用によってばね側端部８５の方向に移動される場合、コンタクトばねは当接要素１０９によって移動され得、それにより、スイッチングプロセスを起動することができる。磁力の作用が停止した後、コンタクトばねは、復元力によって当接要素１０９への圧力を再びかけることができ、クレードル７９をアーマチュア側端部８３の方向に移動させることができる。
【００６７】
磁気駆動力がクレードルをアーマチュア側端部８３の方向に移動させる電気スイッチング要素では、本発明によるクレードル７９は、顎形状突起１０１よりもさらに下方に延びる顎形状突起１０３を有することが好ましい。その結果として、顎形状突起１０３は、範囲の広い引張り要素１０７を提示することができる。
【００６８】
顎形状突起１０３とコンタクトばねとの間の力の伝達のために、顎形状突起１０３は、停止面１１１を形成する。この場合、接続線８７と平行な停止面１１１の面法線１１３は、アーマチュア側端部８３の方向に向く。停止面１１１は、ばね側端部８５の方向のコンタクトばねシャフト９７の境界を定める。
【００６９】
顎形状突起１０１は、第２の停止面１１５を形成する。第２の停止面１１５は、停止面１１１と実質的に平行に延びることが好ましい。第２の停止面１１５の面法線１１７は、接続線８７と平行にばね側端部８５の方向に向かうことができる。
【００７０】
挿入端部１１８では、挿入開口１１９が、顎形状突起１０１と顎形状突起１０３との間に延びる。挿入開口１１９は、コンタクトばねの取付機構をコンタクトばねシャフト９７に挿入する役目をすることができる。取付機構の挿入を容易にするために、コンタクトばねシャフト９７は、挿入開口１１９の領域において下向きに広がっていてもよい。
【００７１】
挿入端部１１９の反対側のキャッチ端部１２２に、コンタクトばねシャフト９７は受容室１２３を有する。受容室１２３は、コンタクトばねの取付機構を受け取る役目をすることができる。特に、受容室１２３は、コンタクトばねのスナップ嵌めフックまたは別の取付機構を受け取るために使用することができ、特に、スナップ嵌めフックは、コンタクトばねシャフト９７を通過するとき弾性的に圧縮された場合、弛緩状態で受容室１２３に受け取られ得る。
【００７２】
受容室１２３の奥行き１２５は、コンタクトばねシャフト９７の奥行き１２７よりも大きい。この場合、奥行き１２５は、各々接続線８７と平行に規定される。受容室を形成するために、顎形状突起１０３は、コンタクトばねシャフト９７の内部スペース１２９から受容室１２３の領域に場所を移される。この場合、顎形状突起１０３の場所移し区間（relocated section）１３１は、アーマチュア側端部８３の方向に内部スペース１２９から変位される。場所移し区間１３１は、受容室１２３の高さ１３３を規定する。
【００７３】
受容室１２３の領域において、コンタクトばねシャフト９７は、横方向限定リッジ１３５によって境界を定められる。横方向限定リッジ１３５は、受容室１２３よりも深く下方に延びることが好ましい。これは、限定リッジ１３５の高さ１３７が受容室１２３の高さ１３３よりも大きいことが好ましいことを意味する。限定リッジ１３５と受容室１２３の両方は、クレードル７９の上面１０５と同じ高さであることが好ましい。
【００７４】
顎形状突起１０３の安定性を増加させるために、顎形状突起１０３は剛化リブ１３９を有することができる。剛化リブ１３９は、停止面１１１に対して垂直に顎形状突起１０３から離れて前方に延びる。剛化リブ１３９は、ばね側端部８５の方向に延びる。この場合、剛化リブ１３９は、受容室１２３の床１４１で支持されることが好ましい。剛化リブ１３９は、顎形状突起１０３および受容室１２３の床１４１と一体となるように形成されることが好ましい。剛化リブ１３９の上端部１４３は、受容室１２３の高さにおいてクレードル７９の前端部と同一平面状にあることが好ましい。
【００７５】
受容室１２３の領域に、クレードル７９は少なくとも１つの支持顎１４５を有する。少なくとも１つの支持顎１４５は、顎形状突起１０１から横方向で前方に延びることが好ましい。下方に、すなわち、顎形状突起１０１および顎形状突起１０３の方向に、少なくとも１つの支持顎は支持表面１４７を有する。支持表面１４７は、クレードル７９をコンタクトばねに置くために使用することができる。
【００７６】
図４は、本発明によるコンタクトばね１および本発明によるクレードル７９、すなわち、図１から図３を参照しながら説明した第１の実施形態による両方を通る縦断面を示す。この場合、コンタクトばねシャフト９７およびフック形状取付機構２７のまわりの領域のみが描かれている。
【００７７】
クレードル７９およびコンタクトばね１は、本発明による電気スイッチング要素（図示せず）、特に、クレードルリレーの一部であり得る。電気スイッチング要素は、この場合、さらに、本発明によるいくつかのクレードル７９および／またはコンタクトばね１を有する。
【００７８】
コンタクトばね１およびクレードル７９は、装着状態Ａで図４に示されている。この場合、フック形状取付機構２７は受容室１２３に置かれている。
【００７９】
装着状態Ａを達成するために、コンタクトばね１、またはフック形状取付機構２７は、直線状挿入方向９９に沿ってコンタクトばねシャフト９７に挿入される。図１から図３を参照しながら説明したコンタクトばね１およびクレードル７９の構成のために、フック形状取付機構２７へのクレードルの直線的移動による挿入を行うことができる。クレードル７９の旋回またはティッピング（tipping）、もっと正確に言えばクレードル７９の螺進は、この場合必要とされない。フック形状取付機構２７は、この場合、挿入開口１１９を通ってコンタクトばねシャフト９７に入り込む。フック形状取付機構２７の奥行き１４９は、コンタクトばねシャフト９７の奥行き１２７よりも大きいことが好ましい。その結果として、フック形状取付機構２７は、コンタクトばねシャフト９７中で弾性的に圧縮され得る。
加えてまたは代替として、さらに、２つの顎形状突起１０１および顎形状突起１０３のうちの少なくとも１つは、弾性的に構成することができ、その結果、それらは、フック形状取付機構２７からコンタクトばねシャフト９７の外側に弾性的に撓まされる。しかしながら、排他的に、フック形状取付機構２７が弾性的に構成されることが好ましい。フック形状取付機構２７が受容室１２３に配列されるとすぐに、フック形状取付機構２７は再び緩み、奥行き１４９を占めることができる。
【００８０】
装着状態Ａにおいて、次いで、フック形状取付機構２７は、受容室１２３の下部内側床１５１と実質的に平行に延びる材料舌部３３の端部区間４３によって、コンタクトばねシャフト９７に再び入り込むのに逆らって、固定される。材料舌部３３の端部区間４３と第１の湾曲部３７との間の外側間隔１５３は、受容室の高さ１３３よりも小さいことが好ましい。その結果として、フック形状取付機構２７は、装着状態Ａにおいて、クレードルの上面１０５の上に突き出ないようにすることができる。
【００８１】
装着状態Ａにおいて、顎形状突起１０３は、コンタクト部位１１の高さまで延びることが好ましい。顎形状突起１０３は、コンタクト部位１１から横方向に離間され、その結果、コンタクト部位１１のうちの１つを直接押すことができないことが好ましい。
【００８２】
図５は、図４を参照しながら説明した本発明によるコンタクトばね１および本発明によるクレードル７９の組合せの側面図を示す。
【００８３】
装着状態Ａにおいて、支持顎１４５は、コンタクトばね１の支持表面５９を押す。コンタクトばね１の支持表面５９は、好ましくは、材料舌部６３がコンタクトばね１の残りの部分の上に曲げ戻された状態で曲がり材料舌部６３から形成されるので、支持顎１４５は、材料舌部６３の最も高い位置７３、したがって、丸形領域を押す。その結果として、クレードル７９がコンタクトばね１に対して移動するとき、支持顎１４５と支持表面５９との間の接点で材料摩耗が発生しないようにすることが可能である。
【００８４】
装着状態Ａにおいて、横方向限定リッジ１３５は、凹部７５および凹部７７中に突き出ることができ、その結果、クレードル７９とコンタクトばね１との間の材料摩耗は、やはり、これらの点において避けることができる。
【００８５】
図６は、フック形状取付機構２７の領域における本発明によるコンタクトばね１を通り、およびコンタクトばねシャフト９７の領域における本発明によるクレードル７９を通る縦断面を示し、コンタクトばね１とクレードル７９の両方は第２の実施形態により形成されている。簡潔さのために、ここでは、発明者等は、図１から図５を参照しながら説明したコンタクトばね１およびクレードル７９の第１の実施形態との差のみを考察するものとする。
【００８６】
コンタクトばね１は剛化要素１５５を有する。剛化要素１５５はシーム１５６として形成され、接続線８７に対して垂直に細長く延びる。剛化要素１５５は、コンタクトばね１の細長いサブコンポーネント１５の長手方向Ｌと平行に延びることが好ましい。
【００８７】
本発明によるクレードル７９の第２の実施形態は、コンタクトばね１の剛化要素１５５を超えて下方に延びる顎形状突起１０３を有する。その結果として、クレードル７９がアーマチュア側端部の方向に移動するとき、停止面１１１は、剛化要素１５５に突き当たり、その結果として、コンタクトばね１を移動させることができる。剛化要素１５５は、この場合、当接する顎形状突起１０３の領域でコンタクトばねが曲がらないようにし、同時に、コンタクトばね１の力をコンタクトばね１の上に一様に分布させることができる。代替として、または図１Ａおよび図１Ｂを参照しながら説明したコンタクトばねの第１の実施形態におけるように、顎形状突起１０３により力がかかるときのコンタクトばね１のわずかな曲がりが、対向コンタクト部からコンタクト部位１１を分離しやすくするために望ましいこともある。
【００８８】
顎形状突起１０１は、第２の停止面１１５がコンタクトばねシャフト９７の内部スペース１２９から離れて傾斜して延びるように形成することができる。その結果として、挿入開口１１９は下方で広くなり、その結果として、フック形状取付機構２７の挿入が容易になることができる。
【符号の説明】
【００８９】
１  コンタクトばね
３  取付脚
５  スイッチング脚
７  取付機構
９  孔
１１  コンタクト部位
１３  取付脚から離れて面する端部
１５  細長いサブコンポーネント
１７  長辺
１９  長辺
２１  短辺
２３  短辺
２５  湾曲部
２７  フック形状取付機構
２９  シャフト
３１  下部シャフト端部
３３  材料舌部
３５  曲げ戻し区間
３７  第１の湾曲部
３９  第２の湾曲部
４１  曲げ戻し区間の下端部
４３  端部区間
４５  中間スペース
４７  端部区間とコンタクトばねとの間のスペース
４９  コンタクトばね材料
５１  スナップ嵌めフック
５３  基部
５５  肩部
５７  肩部
５９  支持表面
６１  材料厚の方向
６３  材料舌部
６５  全幅
６７  シャフト区間
６９  曲がり区間
７１  端部領域
７３  最も高い位置
７５  凹部
７７  凹部
７９  クレードル
８１  クレードル本体
８３  アーマチュア側端部
８５  ばね側端部
８７  接続線
８９  アーマチュア接続要素
９１  突起
９３  アーマチュア停止面
９５  取付手段
９７  コンタクトばねシャフト
９９  挿入方向
１０１  顎形状突起
１０３  顎形状突起
１０５  上面
１０７  引張り要素
１０９  当接要素
１１１  停止面
１１３  面法線
１１５  第２の停止面
１１７  面法線
１１８  挿入端部
１１９  挿入開口
１２２  キャッチ端部
１２３  受容室
１２５  受容室の奥行き
１２７  コンタクトばねシャフトの奥行き
１２９  内部スペース
１３１  場所移し区間
１３３  受容室の高さ
１３５  横方向限定リッジ
１３７  限定リッジの高さ
１３９  剛化リブ
１４１  受容室の床
１４３  剛化リブの上端部
１４５  支持顎
１４７  支持表面
１４９  フック形状取付機構の奥行き
１５１  受容室の内側床
１５３  外側間隔
１５５  剛化要素
１５６  シーム
Ａ  装着状態
α  角度
β  角度
Ｅ  面
Ｍ  材料厚
Ｌ  長手方向
【図１Ａ】
0006442604.tif 000002
【図１Ｂ】
0006442604.tif 000003
【図２】
0006442604.tif 000004
【図３】
0006442604.tif 000005
【図４】
0006442604.tif 000006
【図５】
0006442604.tif 000007
【図６】
0006442604.tif 000008